(57)【特許請求の範囲】
【請求項１】
ミシン針収納体において、
箱型容器と、
箱型容器内に収納され、複数のミシン針を保持する保持体とを備え、
箱型容器は折曲線を有する底面と、上面破断線を有する上面と、側面破断線を有する側面とを有し、
上面上に揺動板が揺動自在に取付けられ、
揺動板の先端から揺動板を引上げると、上面および側面が各々上面破断線および側面破断線を介して破断し、底面、側面、および上面の各々の一部が揺動板とともに揺動して開口を形成し、
底面は底面パネルからなるとともに、側面は４つの側面パネルからなり、
上面は向い合う一対の側面パネルに連結された一対の上面パネルからなり、
一対の上面パネル上に接着剤を介してカバーを取付け、
揺動板はカバーに対向して設けられ、かつ一対の上面パネル上に接着剤を介して取付けられていることを特徴とするミシン針収納体。
【請求項２】
箱型容器の底面にミシン針を確認する窓が設けられていることを特徴とする請求項１記載のミシン針収納体。
【請求項３】
箱型容器内にさび止め紙が収納されていることを特徴とする請求項１記載のミシン針収納体。
【請求項４】
箱型容器表面にレーザ印字部が設けられていることを特徴とする請求項１記載のミシン針収納体。
【請求項５】
箱型容器は紙製のブランク板からなることを特徴とする請求項１記載のミシン針収納体。
【発明の詳細な説明】
【技術分野】
【０００１】
本発明はミシン針を収納したミシン針収納体に係り、とりわけ収納されたミシン針の取扱いを容易に行なうことができるミシン針収納体に関する。
【背景技術】
【０００２】
従来より、プラスチック製のケースや紙製の小袋などの収納容器内にミシン針を収納してなるミシン針収納体が知られている。使用に際して、ミシン針収納体の収納容器からミシン針を１つ１つ取出している。
【発明の開示】
【発明が解決しようとする課題】
【０００３】
上述のようにミシン針を収納するミシン針収納体が知られているが、ミシン針は小さな形状を有するため収納容器からミシン針を１つ１つ取出す作業は煩雑である。また、収納容器内にミシン針が何本残っているかを確認したい場合がある。
【０００４】
しかしながら、従来より、ミシン針の取出作業を容易に行なうことができ、かつ収納されているミシン針の本数等を容易に確認することができるミシン針収納体は未だ開発されていない。
【０００５】
本発明はこのような点を考慮してなされたものであり、ミシン針の取扱いを容易に行なうことができるミシン針収納体を提供することを目的とする。
【課題を解決するための手段】
【０００６】
本発明は、ミシン針収納体において、箱型容器と、箱型容器内に収納され、ミシン針を突き刺し保持する柔軟体とを備え、箱型容器は折曲線を有する底面と、上面破断線を有する上面と、側面破断線を有する側面とを有し、上面上に揺動板が揺動自在に取付けられ、揺動板の先端から揺動板を引上げると、上面および側面が各々上面破断線および側面破断線を介して破断し、底面、側面、および上面の各々の一部が揺動板とともに揺動して開口を形成することを特徴とするミシン針収納体である。
【０００７】
本発明は、更に箱型容器の底面にミシン針を確認する窓が設けられていることを特徴とするミシン針収納体である。
【０００８】
本発明は、更に箱型容器内にさび止め紙が収納されていることを特徴とするミシン針収納体である。
【０００９】
本発明は、更に箱型容器表面にレーザ印字部が設けられていることを特徴とするミシン針収納体である。
【発明の効果】
【００１０】
以上のように本発明によれば、揺動板を持上げるだけで、上面および側面を上面破断線および側面破断線から破断させることができる。同時に底面、側面および上面の各々の一部を底面の折曲線を介して揺動板とともに揺動させることにより、箱型容器に比較的大きな開口を形成することができる。箱型容器内のミシン針はこの開口から容易に取出される。また箱型容器内のミシン針をパッドにより保持することができるので、ミシン針を箱型容器内で整然と収納保持することができる。さらにまた、箱型容器は板紙から形成されているので、使用後は容易に廃棄することができる。
【発明を実施するための最良の形態】
【００１１】
以下、図面を参照して本発明の実施の形態について説明する。図１乃至図５は、本発明によるミシン針収納体の一実施の形態を示す図である。
【００１２】
図１（ａ）に示すように、ミシン針収納体１０は箱型容器１１と、箱型容器１１内に収納された柔軟性パッド（柔軟体）２５と、このパッド２５に突き刺し保持された複数、例えば図１に示すように１０本のミシン針２６ａ，２６ｂ，２６ｃとを備えている。
【００１３】
このうちミシン針２６ａ，２６ｂ，２６ｃは、図１（ｂ）に示すように、短いミシン針２６ａ、中程度の長さのミシン針２６ｂ、長いミシン針２６ｃとからなり、各ミシン針２６ａ，２６ｂ，２６ｃはパッド２５内に差込まれる長さを調整することにより、外方へ突出する長さを一定に揃えることができる。また箱型容器１１内には、ミシン針２６ａ，２６ｂ，２６ｃのさび止めを行なうため、例えばジシクロヘキシルアンモニウムナイトライト（Dicyclohexyl ammonium nitrite）からなる鉄鋼用気化性防錆剤を塗工した紙からなるさび止め紙２７が挿入されている（図１（ｃ））。なお、さび止め紙２７を挿入する替わりに、柔軟性パッド２５に防錆剤を含浸させたり、箱型容器１１の内面側となるブランク板３０（後述参照）に防錆剤を塗工して、さび止めを行うようにしてもよい。
【００１４】
次に箱型容器１１について詳述する。図１乃至図４に示すように箱型容器１１は折曲線１５を有する底面１２と、上面破断線１４ｂを有する上面１４と、側面破断線１３ｂを有する側面１３とからなっており、全体として箱型を有している。このうち側面１３は４面からなっている。
【００１５】
また、箱型容器１１の上面１４の上面破断線１４ｂで囲まれた部分には、揺動板２０が接着剤により取付けられている。
【００１６】
さらにこの揺動板２０は折曲線２０ｂを有するとともに、その先端２０ａを持上げた際に、上面１４も揺動板２０とともに持上げられるようになっている。
【００１７】
この場合、上面１４は上面破断線１４ｂを介して破断し、同時に側面１３も側面破断線１３ｂを介して破断する。そして上面１４のうち上面破断線１４ｂより揺動板２０側の部分１４ａと、側面１３のうち側面破断線１３ｂより揺動板２０側の部分１３ａと、底面１２の折曲線１５より揺動板２０側の部分１２ａは、揺動板２０とともに底面１２の折曲線１５を介して（折曲線１５を中心として）揺動する。
【００１８】
このように揺動板２０と、底面１２の部分１２ａと、側面１３の部分１３ａと、上面１４の部分１４ａとが底面１２の折曲線１５を介して揺動することにより、箱型容器１１に開口１１ａを形成することができ、この開口１１ａから内部のミシン針２６ａ，２６ｂ，２６ｃを取出すことができる。
【００１９】
さらに図１乃至図４に示すように、上面１４上には、揺動板２０と向き合うようにカバー２１が取付けられている。このカバー２１は先端２１ａに上面１４との間にすき間が形成され、一度箱型容器１１から引上げられて揺動した揺動板２０の先端２０ａをカバー２１の先端２１ａ内に収納することができる（図４参照）。
【００２０】
また図２に示すように、底面１２には、箱型容器１１内に収納されたミシン針２６ａ，２６ｂ，２６ｃを外方から確認するための窓１７が形成されている。この窓１７は底面１２を開口することにより形成されているが、窓１７の内部に透明フィルムを設けてもよい。
【００２１】
底面１２の窓１７は、パッド２５に突き刺し保持された全部のミシン針２６ａ，２６ｂ，２６ｃを外方から目視により確認することができ、かつパッド２５を隠すことができるような形状を有している。また図１乃至図４に示すように、箱型容器１１の底面１２とカバー２１上に、レーザにより形成されたレーザ印字部１９が設けられている。このレーザ印字部１９はミシン針２６ａ，２６ｂ，２６ｃの品番等を表示している。レーザ印字部１９は、高価なレーザ印字装置を用いて形成されるため、レーザ印字部１９を偽造することはむずかしい。
【００２２】
次に箱型容器１１を作製するためのブランク板３０について、図５により説明する。図５に示すように、ブランク板３０は板紙からなり、窓１７を有する底面１２となる底面パネル３２と、底面パネル３２に連結されるとともに４つの側面１３を形成する４つの側面パネル３３，３３，３３，３３と、左右の側面パネル３３に連結され上面１４を形成する一対の上面パネル３４，３４とを有している。
【００２３】
また、図５において上方の側面パネル３３には、揺動板２０が取付けられ、下方の側面パネル３３には、カバー２１が取付けられている。
【００２４】
さらに図５に示すように、左右の側面パネル３３，３３および上面パネル３４，３４には、各々側面破断線１３ｂおよび上面破断線１４ｂが設けられている。これら側面破断線１３ｂおよび上面破断線１４ｂは、揺動板２０を持上げた際に破断する部分であり、この側面破断線１３ｂと上面破断線１４ｂは互いに連結して形成されている。また、側面破断線１３ｂに連結して、底面パネル３２に、折曲線１５が設けられている。
【００２５】
次にこのような構成からなる本実施の形態の作用について説明する。まず図５に示すようなブランク板３０を準備する。次にブランク板３０上に、予めミシン針２６ａ，２６ｂ，２６ｃを保持したパッド２５と、さび止め紙２７を載置する。その後、ブランク板３０の底面パネル３２に対して４つの側面パネル３３，３３，３３，３３を立上げ、図５に示す左右の側面パネル３３，３３に対して一対の上面パネル３４，３４を折畳む。
【００２６】
次に下方の側面パネル３３に対して、カバー２１を折畳み、一対の上面パネル３４，３４上にカバー２１を接着位置３６に設けられた接着剤により接着する。その後上方の側面パネル３３に対して揺動板２０を折畳み、一対の上面パネル３４，３４上に揺動板２０を接着位置３５に設けられた接着剤により接着する。
【００２７】
このようにしてブランク板３０から形成された箱型容器１１と、箱型容器１１内に収納されミシン針２６ａ，２６ｂ，２６ｃが刺し込み保持されたパッド２５とからなるミシン針収納体１０が得られる。
【００２８】
使用に際しては、揺動板２０の先端２０ａを持上げることにより、箱型容器１１の上面１４および側面１３を各々上面破断線１４ｂおよび側面破断線１３ｂを介して破断することができる。この際、上面１４のうち揺動板２０側の部分１４ａと、側面１３のうち揺動板２０側の部分１３ａと、底面１２のうち揺動板２０側の部分１２ａを、揺動板２０とともに底面１２の折曲線１５を介して揺動させる。このことにより、箱型容器１１に開口１１ａを形成することができる（図１（ａ）参照）。
【００２９】
次に箱型容器１１内のミシン針２６ａ，２６ｂ，２６ｃがパッド２５から引抜かれ、開口１１ａから取出される。次に揺動板２０を元の位置まで揺動し、揺動板２０の先端２０ａをカバー２１の先端２１ａ内に挿入することにより、箱型容器１１を再密封（リクローズ）することができる（図４参照）。
【００３０】
以上のように本実施の形態によれば、揺動板２０を揺動するだけで、上面１４の揺動板２０側の部分１４ａと、側面１３の揺動板２０側の部分１３ａと、底面１２の揺動板２０側の部分１２ａを揺動板２０とともに揺動させて箱型容器１１に比較的大きな開口１１ａを形成することができる。このためこの開口１１ａから箱型容器１１内のミシン針２６ａ，２６ｂ，２６ｃを容易に取出すことができる。ミシン針２６ａ，２６ｂ，２６ｃを取出した後は、揺動板２０を元の位置まで揺動させ、揺動板２０の先端２０ａをカバー２１の先端２１ａ内に挿入するだけで、箱型容器１１のリクローズを行なうことができる。また、ミシン針２６ａ，２６ｂ，２６ｃはパッド２５により突き刺し保持されるので、ミシン針２６ａ，２６ｂ，２６ｃを箱型容器１１内で整然と収納保持することができる。
【図面の簡単な説明】
【００３１】
【図１】本発明によるミシン針収納体の一実施の形態を示す図。
【図２】ミシン針収納体の背面側を示す斜視図。
【図３】ミシン針収納体の正面側を示す斜視図。
【図４】ミシン針収納体のリクローズ状態を示す斜視図。
【図５】ブランク板を示す平面図。
【符号の説明】
【００３２】
１０  ミシン針収納体
１１  箱型容器
１２  底面
１３  側面
１３ａ  揺動板側の部分
１３ｂ  側面破断線
１４  上面
１４ａ  揺動板側の部分
１４ｂ  上面破断線
１５  折曲線
１７  窓
１９  レーザ印字部
２０  揺動板
２１  カバー
２５  柔軟性パッド
２６ａ，２６ｂ，２６ｃ  ミシン針
２７  さび止め紙
３０  ブランク板
【図１】
0004652378.tif 000002
【図２】
0004652378.tif 000003
【図３】
0004652378.tif 000004
【図４】
0004652378.tif 000005
【図５】
0004652378.tif 000006